(57)【要約】【課題】  ＩＰマルチキャストプロトコルの映像・音声・データを端末が受信した際に送出する受信情報に関するＩＰパケットを収集し、その情報を管理サーバが集約する【解決手段】  本発明は、視聴情報収集装置がマルチキャスト配信を受信する端末から送出された映像、音声、データのいずれかのＩＤ、視聴や受信の開始又は終了の情報、その情報の受信時刻、信元の受信端末を表すアドレス情報を収集して、視聴状況管理サーバに送信し、視聴状況管理サーバが、その情報を受信して視聴状況記憶手段に格納すると共に、受信した時刻を保持し、分類・抽出して視聴状況記憶手段に格納する。また、指定された条件で視聴状況記憶手段を検索して視聴状況情報を表示する。【選択図】  図１
2011015085.tif 000002
【特許請求の範囲】
【請求項１】
マルチキャスト配信が行われるＩＰネットワークにおける視聴情報収集装置であって、
マルチキャスト配信を受信する端末から送出される、該端末において視聴や受信した映像、音声、データのいずれかの情報のＩＤ、及び該情報の視聴や受信の開始または終了の情報を含むＩＰパケットまたはイーサネットフレームを受信し、該情報を視聴状況データの一部として記憶手段に格納する第１の受信手段を有する
ことを特徴とする視聴情報収集装置。
【請求項２】
前記視聴状況データの一部として、前記ＩＰパケットまたは前記イーサネットフレームから送信元の受信端末を表すアドレス情報を抽出し、前記第１の受信手段による情報と共に前記記憶手段に格納する第２の受信手段を更に有する
請求項１記載の視聴情報収集装置。
【請求項３】
前記視聴状況データの一部として、前記ＩＰパケットまたは前記イーサネットフレームを端末３１から受信した時刻を前記第１及び前記第２の受信手段による情報と共に前記記憶手段に格納する第３の受信手段を更に含む
請求項２記載の視聴情報収集装置。
【請求項４】
前記記憶手段に格納された情報を、サーバに送信する手段を更に有する
請求項１乃至３のいずれか１項に記載の視聴情報収集装置。
【請求項５】
前記視聴状況データとして、IGMP(Internet Group Management Protocol)に従って前記受信端末から送出される前記ＩＰパケットを受信する手段を含む
請求項１乃至３のいずれか１項に記載の視聴情報収集装置。
【請求項６】
前記送信元の受信端末を表すアドレス情報として、MAC(Media Access Control)アドレス、または、イーサネット（Ethernet）（登録商標）アドレス、または、ＩＰ(Internet Protocol)アドレスを用いる
請求項３記載の視聴情報収集装置。
【請求項７】
マルチキャスト配信が行われるＩＰネットワークにおける視聴状況管理サーバであって、
マルチキャスト配信の受信端末から送出されたＩＰパケットまたはイーサネットフレームに含まれる情報を収集する視聴情報収集装置から、視聴状況データとして、
・映像、音声、データのいずれかのＩＤ；
・視聴や受信の開始又は終了の情報；
・送信元の受信端末を表すアドレス情報；
・受信端末からＩＰパケットまたはイーサネットフレームを受信した時刻；
を受信して視聴状況記憶手段に格納する視聴状況取得手段と、
前記映像、音声、データのいずれかのＩＤ毎、または、前記送信元の受信端末を表すアドレス情報に基づいて、前記視聴状況記憶手段に格納されている視聴状況データを分類または抽出する分類・抽出手段と、
前記分類・抽出手段で分類または抽出された視聴状況データを、前記視聴情報収集装置で受信した時刻順に時系列的に前記視聴状況記憶手段に格納する視聴状況管理手段と、
を有することを特徴とする視聴状況管理サーバ。
【請求項８】
前記視聴状況記憶手段に格納された前記視聴状況データを、任意の範囲、かつ、任意の順番で表示装置に出力する手段を更に有する
請求項７記載の視聴状況管理サーバ。
【請求項９】
指定された映像、音声、データのいずれかのＩＤ毎に、指定された時間帯の受信端末数、または、指定された時刻毎またはリアルタイムに同時受信端末数を計数し、表示装置に出力する手段を更に有する
請求項７記載の視聴状況管理サーバ。
【請求項１０】
マルチキャスト配信が行われるＩＰネットワークの視聴状況収集システムであって、
マルチキャスト配信の端末から送出される、該端末において視聴や受信した映像、音声、データのいずれかの情報のＩＤ、該情報の視聴や受信の開始または終了の情報、送信元の受信端末を表すアドレス情報、を含むＩＰパケットまたはイーサネットフレームを受信し、該ＩＰパケットまたはイーサネットフレームの情報及び該ＩＰパケットまたはイーサネットフレームを受信した時刻を視聴状況データとして、記憶手段に格納する手段と、
記憶手段に格納された視聴状況データを視聴状況管理サーバに送信する手段と、をフレックスキャストゲートウェイ装置に搭載する
ことを特徴とする視聴状況収集システム。
【請求項１１】
マルチキャスト配信が行われるＩＰネットワークの視聴状況収集システムであって、
マルチキャスト配信の端末から送出される、該端末において視聴や受信した映像、音声、データのいずれかの情報のＩＤ、該情報の視聴や受信の開始または終了の情報、送信元の受信端末を表すアドレス情報、を含むＩＰパケットまたはイーサネットフレームを受信し、該ＩＰパケットまたはイーサネットフレームの情報及び該ＩＰパケットまたはイーサネットフレームを受信した時刻を視聴状況データとして、記憶手段に格納する手段と、
前記記憶手段に格納された前記視聴状況データを視聴状況管理サーバに送信する手段と、を前記ＩＰネットワーク内のサブネットワークに接続される分岐ノード装置に搭載することを特徴とする視聴状況収集システム。
【請求項１２】
請求項１乃至６のいずれか１項に記載の視聴情報収集装置を構成する各手段としてコンピュータを機能させるための視聴状況収集プログラム。
【請求項１３】
請求項７乃至１０のいずれか１項に記載の視聴状況管理サーバを構成する手段としてコンピュータを機能させるための視聴状況管理プログラム。
【発明の詳細な説明】
【技術分野】
【０００１】
本発明は、視聴情報収集装置及び視聴状況管理サーバ及び視聴情報収集システム及び視聴情報収集プログラム及び視聴状況管理プログラムに係り、特に、映像・音声・データ等を多数の受信端末に同時に配信するＩＰ(Internet Protocol)ネットワークでのマルチキャスト配信において、各受信者の視聴や受信の状況の管理を行うための視聴情報収集装置及び視聴状況管理サーバ及び視聴情報収集システム及び視聴情報収集プログラム及び視聴状況管理プログラムに関する。
【背景技術】
【０００２】
従来、映像・音声・データ等を多数の受信端末に配信する方法として、ユニキャスト配信方式とマルチキャスト配信方式がある。
【０００３】
ユニキャスト配信方式では、配信元になる配信サーバと受信端末を１対１につなぎ、映像・音声・データ等をそれぞれ個別に配信するため、受信端末の当該映像・音声・データ等の視聴や受信の開始時刻、同終了時刻、視聴中または受信中かどうかの視聴状態などの各受信者の視聴や受信の状況を配信サーバ側で管理することができる。
【０００４】
しかしながら、ＩＰマルチキャストプロトコルなどのマルチキャスト配信方式では、配信元になる配信サーバと受信端末は直接には繋がれず、配信サーバは映像・音声・データ等を１台の受信端末分しか配信せず、それを配信ネットワーク内の分岐ノード装置（ルータやスプリッタ等）で複製して多数の受信端末に配信するため、配信サーバはいくつの受信端末に配信しているのか知ることができない。また、配信ネットワーク内の分岐ノード装置は、映像・音声・データ等を複製するだけである（例えば、非特許文献１参照）。
【先行技術文献】
【非特許文献】
【０００５】
【非特許文献１】「マスタリングTCP/IP IPマルチキャスト編」著者：デーヴ・コーシャ／苅田幸雄  オーム社 pp.66-67 1999年11月
【発明の概要】
【発明が解決しようとする課題】
【０００６】
上記のように、従来のマルチキャスト配信方式では、受信端末の映像・音声・データ等の視聴や受信の開始時刻、同終了時刻、視聴中または受信中かどうかの視聴状態などの各受信者の視聴や受信の状況を配信サーバ側で管理することができないという問題がある。
【０００７】
本発明は、上記の点に鑑みなされたもので、ＩＰマルチキャストプロトコルの映像・音声・データ等を端末が受信開始または終了する際に送出するＩＰパケットを受信して視聴状況データを収集することを可能とし、また、収集された各端末の該視聴状況データを管理サーバが集約することを可能とし、マルチキャストプロトコルの場合であっても、全受信端末の視聴状況を一元的に管理することが可能な視聴情報収集装置及び視聴状況管理サーバ及び視聴情報収集システム及び視聴情報収集プログラム及び視聴状況管理プログラムを提供することを目的とする。
【課題を解決するための手段】
【０００８】
図１は、本発明の原理構成図である。
【０００９】
本発明（請求項１）は、マルチキャスト配信が行われるＩＰネットワークにおける視聴情報収集装置３２であって、
マルチキャスト配信を受信する端末３１から送出される、該端末３１において視聴や受信した映像、音声、データのいずれかの情報のＩＤ（例えば、マルチキャストグループアドレス）、及び該情報の視聴や受信の開始または終了の情報を含むＩＰパケットまたはイーサネットフレーム（以下、ＩＰパケット等と記す）を受信し、該情報を視聴状況データの一部として記憶手段３２４に格納する第１の受信手段３２１を有する。
【００１０】
また、本発明（請求項２）は、請求項１の視聴情報収集装置３２において、視聴状況データの一部として、ＩＰパケット等から送信元の受信端末３１を表すアドレス情報を抽出し、第１の受信手段による情報と共に記憶手段３２４に格納する第２の受信手段３２２を更に有する。
【００１１】
また、本発明（請求項３）は、請求項２の視聴情報収集装置３２において、視聴状況データの一部として、ＩＰパケット等を端末３１から受信した時刻を第１及び第２の受信手段による情報と共に記憶手段３２４に格納する第３の受信手段３２３を更に含む。
【００１２】
また、本発明（請求項４）は、請求項１乃至３の視聴情報収集装置３２において、記憶手段３２４に格納された情報を、サーバに送信する送信手段３２５を更に有する。
【００１３】
また、本発明（請求項５）は、請求項１乃至３の視聴情報収集装置３２において、視聴状況データとして、IGMP(Internet Group Management Protocol)に従って受信端末３１から送出されるＩＰパケットを受信する手段を含む。
【００１４】
本発明（請求項６）は、請求項３の視聴情報収集装置３２において、送信元の受信端末３１を表すアドレス情報として、MAC(Media Access Control)アドレス、または、イーサネット（Ethernet）（登録商標）アドレス、または、ＩＰ(Internet Protocol)アドレスを用いる。
【００１５】
本発明（請求項７）は、マルチキャスト配信が行われるＩＰネットワークにおける視聴状況管理サーバ４０であって、
マルチキャスト配信の受信端末３１から送出されたＩＰパケットまたはイーサネットフレーム（以下、ＩＰパケット等と記す）に含まれる情報を収集する視聴情報収集装置３２から、以下の視聴状況データ
・映像、音声、データのいずれかのＩＤ；
・視聴や受信の開始又は終了の情報；
・送信元の受信端末を表すアドレス情報；
・受信端末３１から当該ＩＰパケット等を受信した時刻；
を受信して視聴状況記憶手段４３に格納する視聴状況取得手段４１と、
映像、音声、データのいずれかのＩＤ毎、または、送信元の受信端末を表すアドレス情報に基づいて、視聴状況記憶手段４３に格納されている視聴状況データを分類または抽出する分類・抽出手段４４と、
分類・抽出手段４４で分類または抽出された視聴状況データを、視聴情報収集装置３２で受信した時刻順に時系列的に視聴状況記憶手段４３に格納する視聴状況管理手段４５と、を有する。
【００１６】
また、本発明（請求項８）は、請求項７の視聴状況管理サーバ４０において、視聴状況記憶手段４３に格納された視聴状況データを、任意の範囲、かつ、任意の順番で表示装置に出力する手段を更に有する。
【００１７】
また、本発明（請求項９）は、請求項７記載の視聴情報管理サーバ４０において、
指定された映像、音声、データのいずれかのＩＤ毎に、指定された時間帯の受信端末数、または、指定された時刻毎またはリアルタイムに同時受信端末数を計数し、表示装置に出力する手段を更に有する。
【００１８】
本発明（請求項１０）は、マルチキャスト配信が行われるＩＰネットワークの視聴状況収集システムであって、
マルチキャスト配信の端末から送出される、該端末において視聴や受信した映像、音声、データのいずれかの情報のＩＤ、該情報の視聴や受信の開始または終了の情報、送信元の受信端末を表すアドレス情報、を含むＩＰパケットまたはイーサネットフレーム（以下、ＩＰパケット等と記す）を受信し、該ＩＰパケット等の情報及び該ＩＰパケット等を受信した時刻を視聴状況データとして、記憶手段に格納する手段と、
記憶手段に格納された視聴状況データを視聴状況管理サーバに送信する手段と、をフレックスキャストゲートウェイ装置に搭載する。
【００１９】
本発明（請求項１１）は、マルチキャスト配信が行われるＩＰネットワークの視聴状況収集システムであって、
マルチキャスト配信の端末から送出される、該端末において視聴や受信した映像、音声、データのいずれかの情報のＩＤ（例えば、マルチキャストグループアドレス）、該情報の視聴や受信の開始または終了の情報、送信元の受信端末を表すアドレス情報、を含むＩＰパケットまたはイーサネットフレーム（以下、ＩＰパケット等と記す）を受信し、該ＩＰパケット等の情報及び該ＩＰパケット等を受信した時刻を視聴状況データとして、記憶手段に格納する手段と、
記憶手段に格納された視聴状況データを視聴状況管理サーバに送信する手段と、をＩＰネットワーク内のサブネットワークに接続される分岐ノード装置に搭載する。
【００２０】
本発明（請求項１２）は、請求項１乃至６のいずれか１項に記載の視聴情報収集装置を構成する各手段としてコンピュータを機能させるための視聴状況収集プログラムである。
【００２１】
本発明（請求項１３）は、請求項７乃至１０のいずれか１項に記載の視聴状況管理サーバを構成する手段としてコンピュータを機能させるための視聴状況管理プログラムである。
【発明の効果】
【００２２】
上記のように本発明によれば、視聴状況管理サーバにおいて、各受信端末の視聴や受信に関する情報が収集されて加工されて表示されるので、視聴状況の管理者は、マルチキャスト配信であっても、ユニキャスト配信のように、各受信端末、または、「映像・音声・データ等のＩＤ」個別、または、受信端末全体の視聴状況を管理することができる。
【図面の簡単な説明】
【００２３】
【図１】本発明の原理構成図である。
【図２】本発明の一実施の形態におけるシステム構成図である。
【図３】本発明の一実施の形態における動作のシーケンスチャートである。
【図４】本発明の一実施の形態における視聴状況管理サーバの構成図である。
【図５】本発明の一実施の形態における視聴状況管理サーバの表示例である。
【発明を実施するための形態】
【００２４】
以下、図面と共に本発明の実施の形態を説明する。
【００２５】
図２は、本発明の一実施の形態におけるシステム構成を示す。
【００２６】
同図に示すシステムは、配信サーバ１０、分岐ノード装置（以下、分岐ノードと記す）２０、ＩＰサブネットワーク３０、当該ＩＰサブネットワーク３０内の受信端末３１、視聴情報収集装置３２、及び、各ネットワークに接続される視聴状況管理サーバ４０から構成される。
【００２７】
同図に示すシステムでは、配信サーバ１０には、分岐ノード２０ａが接続され、更に当該分岐ノード２０ａには複数の分岐ノード２０ｂ、２０ｃが、分岐ノード２０ｂには少なくとも２０ｆが、更に分岐ノード２０ｃには、分岐ノード２０ｄ、２０ｅがそれぞれ接続されている。分岐ノード２０ｅには、複数の受信端末３１ａ，３１ｂ，３１ｃと視聴情報収集装置３２ｅを有するＩＰサブネットワーク３０ｅが接続されている。分岐ノード２０ｄ、２０ｆも同様に、受信端末と視聴情報収集装置を有するサブネットワーク３０ｄ、３０ｆが接続されている。各ＩＰサブネットワーク３０内の視聴情報収集装置３２には、視聴状況管理サーバ４０が接続されている。視聴情報収集装置３２は、受信端末３１から送出される映像・音声・データ等のＩＤ（例えば、マルチキャストグループアドレス）と視聴や受信の開始又は終了の情報を受信する。なお、ＩＰサブネットワーク３０は、通常イーサネット（登録商標）で構築される。
【００２８】
図３は、本発明の一実施の形態における動作のシーケンスチャートである。
【００２９】
以下、図２、図３に沿って説明する。
【００３０】
同図は、各受信者の視聴や受信の状況を視聴状況管理サーバ側で管理する例である。以下では、ＩＰサブネットワーク３０ｅを例に説明するが、他のＩＰサブネットワーク内でも同様の動作を行う。
【００３１】
本発明では、個々の受信端末から、映像・音声・データ等の視聴や受信の開始又は終了を受信端末のＩＰサブネットワーク内の関係する装置に通知するために、何らかの情報が送出されることを前提とする（ステップ１００）。
【００３２】
分岐ノードはその情報を受信すると、配信サーバのある上流の分岐ノードに送出する（ステップ１０１）。
【００３３】
同図に示すシステムは、マルチキャスト配信ネットワーク１の配信サーバ１０から映像・音声・データ等を内包したＩＰパケットまたはイーサネットフレーム（以下では、ＩＰパケットのみを記す）が分岐ノード２０ａに送信される（ステップ１０２）。当該映像・音声・データ等は、分岐ノード２０ａで複製されて次の分岐ノード２０ｂ、２０ｃに転送され、更に、当該分岐ノード２０ｂ、２０ｃに接続される分岐ノード２０ｄ、２０ｅ、２０ｆに複製された映像・音声・データ等が送信される（ステップ１０３）。分岐ノード２０ｅは、ＩＰサブネットワーク３０ｅの受信端末３１にレイヤ２でマルチキャストする。また、分岐ノード２０ｄ及び２０ｆに接続するＩＰサブネットワーク３０ｄ及び３０ｆにおいても同様である（ステップ１０４）。
【００３４】
例えば、ＩＰマルチキャストプロトコルでマルチキャスト配信する場合には、分岐ノード２０ａ，２０ｂ、２０ｃ及び、ＩＰサブネットワーク３０ｄ，３０ｅ，３０ｆに接する分岐ノード２０ｄ、２０ｅ，２０ｆにはＩＰマルチキャストプロトコルが動作するルータが設けられる。
【００３５】
また、例えば、ルータにおいてＩＰマルチキャストプロトコルが何らかの理由で使われず、フレックスキャストプロトコルでマルチキャスト配信する場合には、各分岐ノード２０ａ，２０ｂ，２０ｃにはフレックスキャストスプリッタが接続され、ＩＰサブネットワーク３０ｄ，３０ｅ，３０ｆに接する分岐ノード２０ｄ，２０ｅ，２０ｆにはフレックスキャストゲートウェイ装置が接続される。
【００３６】
受信端末３１は、ステップ１００で述べたように「映像・音声・データ等の視聴や受信の開始又は終了を各ＩＰサブネットワーク内の関係する装置に知らせるための情報」のＩＰパケット等をＩＰサブネットワーク内に送信する（ステップ１０５）。
【００３７】
ＩＰマルチキャストプロトコルでマルチキャスト配信をする場合、映像・音声・データ等を視聴や受信したい各受信端末３１は、IGMP(Internet Group Management Protocol)に従ったＩＰパケット（例えば、IGMP V2 Membership Report）を送出する。同様に、映像・音声・データ等の視聴や受信を中止したい各受信端末３１は、IGMPに従ったＩＰパケット（例えば、IGMP V2 Leave Group）を送出する。
【００３８】
視聴情報収集装置３２は、このＩＰパケット等を受信し、ＩＰパケットを受信した時刻と共に記憶装置（図示せず）に蓄積し、受信した視聴状況データに付与されている「送信元の受信端末を表すアドレス情報」を読み取り、視聴データを収集する（ステップ１０６）。なお、ここで、記憶装置としてはメモリやディスク装置であるものとする。そして、以下の視聴状況データ
・映像・音声・データ等のＩＤ
・視聴や受信の開始又は終了情報
・送信元の受信端末を表すアドレス情報
・受信端末３１から当該ＩＰパケット等を受信した時刻
を視聴状況管理サーバ４０に送信する（ステップ１０７）。なお、「送信元の受信端末を表すアドレス情報」として、MAC(Media Access Control)アドレス、または、イーサネット(Ethernet)（登録商標）アドレス、または、ＩＰ(Internet Protocol)アドレス等がある。
【００３９】
図４は、本発明の一実施の形態における視聴状況管理サーバの構成を示す。視聴状況管理サーバ４０は、受信部４１、受信データ格納部４２、視聴状況ＤＢ４３、分類・抽出部４４、検索部４５から構成される。
【００４０】
視聴状況管理サーバ４０は、受信部４１で各ＩＰサブネットワーク３０の視聴情報収集装置３２から送られてきたこれらの視聴状況データを受信すると、受信データ格納部４２は、その中に含まれる「映像・音声・データ等のＩＤ」や「送信元の受信端末を表すアドレス情報」をキーにしてデータを収集して視聴状況ＤＢ４３に格納する（ステップ１０８）。
【００４１】
視聴状況管理サーバ４０の分類・抽出部４４は、視聴状況ＤＢ４３に格納された情報を読み出して、例えば、「映像・音声・データ等のＩＤ」毎に収集したデータを分類又は抽出し、更にそのデータ群を「送信元の受信端末を表すアドレス情報」をキーにして分類又は抽出し、「視聴又は受信の開始または終了の情報」を「その情報の受信時刻」の順に時系列的に視聴状況ＤＢ４３に格納する（ステップ１０９）。
【００４２】
また、検索部４５は、外部から「映像・音声・データ等のＩＤ（複数または全てを指定可）」や「送信元の受信端末を表すアドレス情報（複数または全てを指定可）」等の検索条件が入力されると、当該検索条件に基づいて、視聴状況ＤＢ４３を検索し（ステップ１１０）、時系列順（古い順または新しい順）に並べた表に加工して、例えば、指定された一定時間毎に、パーソナルコンピュータ（ＰＣ）のディスプレイ上のＷｅｂ画面などのような表示装置に出力することが可能である。
【００４３】
また、検索部４５は、外部から「映像・音声・データ等のＩＤ」と時間帯が指定されると、当該ＩＤ及び時間帯に基づいて視聴状況ＤＢ４４を検索して、指定された時間帯における送受信端末数や時刻毎、または、リアルタイムに同時受信端末数を計数し、上述と同様に、ＰＣのディスプレイ上のＷｅｂ画面等の表示装置に出力する。
【００４４】
図５は、本発明の一実施の形態における視聴状況管理サーバの表示例である。
【００４５】
同図の例では、映像・音声・データ等のＩＤ、送信元の受信端末を表すアドレス情報、受信開始時刻、受信終了時刻が表示される。受信開始時刻の情報があり、且つ、受信終了の時刻の情報がないデータを検索することにより、視聴や受信中の受信端末数を計数することができる。
【００４６】
なお、上記では、視聴情報収集装置３２から視聴状況管理サーバ４０に視聴状況データを送信する例を説明したが、この例に限定されることなく、視聴情報収集装置３２の機能をＩＰネットワーク内の分岐ノード装置２０に搭載し、当該分岐ノード装置２０から視聴状況データを視聴状況管理サーバ４０に送信するようにしてもよい。
【００４７】
なお、上記の視聴情報収集装置及び視聴状況管理サーバの各機能をプログラムとして構築し、視聴情報収集装置及び視聴状況管理サーバとして利用されるコンピュータにインストールする、または、ネットワークを介して流通させることが可能である。
【００４８】
また、構築されたプログラムをハードディスクや、フレキシブルディスク・ＣＤ−ＲＯＭ等の可搬記憶媒体に格納し、コンピュータにインストールする、または、配布することが可能である。
【００４９】
なお、本発明は、上記の実施の形態に限定されることなく、特許請求の範囲内において種々変更や応用が可能である。
【符号の説明】
【００５０】
１０  配信サーバ
２０  分岐ノード装置
３０  ＩＰサブネットワーク
３１  受信端末
３２  視聴情報収集装置
４０  視聴状況管理サーバ
４１  視聴状況取得手段、受信部
４２  受信データ格納部
４３  視聴状況記憶手段、視聴状況記憶部
４４  視聴状況管理手段、分類・抽出部
４５  検索部
５０  表示装置
３２１  第１の受信手段
３２２  第２の受信手段
３２３  第３の受信手段
３２４  記憶手段
３３５  送信手段
【図１】
2011015085.tif 000003
【図２】
2011015085.tif 000004
【図３】
2011015085.tif 000005
【図４】
2011015085.tif 000006
【図５】
2011015085.tif 000007